(57)【要約】【課題】菓子等の食品を収納して運搬する際に、菓子等が本来持っていた美観を損なうことなく、販売される際に陳列してある形態を保持しつつ運搬するための食品搬送容器及び食品を載せる台紙を提供する。【解決手段】菓子６０等が載置される載置面に滑り止め部材５０を設け、前記容器において、載置面以外の内面に滑り止め部材５０を設け、菓子６０等の食品を載せる台紙において、該台紙の裏面に滑り止め部材５０を設け、前記滑り止め部材５０を印刷若しくは表面加工で形成し、または発泡インクを用いた印刷で形成することで設けた。【選択図】図１
2007076731.tif 000002
【特許請求の範囲】
【請求項１】
菓子等の食品を収納して運搬に使用する容器において、菓子等が載置される載置面に滑り止め部材を設けたことを特徴とする食品搬送容器。
【請求項２】
請求項１に記載の容器において、前記載置面以外の内面に滑り止め部材を設けたことを特徴とする食品搬送容器。
【請求項３】
菓子等の食品を載せる台紙において、該台紙の裏面に滑り止め部材を設けたことを特徴とする食品を載せる台紙。
【請求項４】
前記滑り止め部材が印刷若しくは表面加工で形成されていることを特徴とする請求項１または請求項２または請求項３に記載の食品搬送容器及び食品を載せる台紙。
【請求項５】
前記滑り止め部材が発泡インクを用いた印刷で形成されていることを特徴とする請求項１または請求項２または請求項３に記載の食品搬送容器及び食品を載せる台紙。
【発明の詳細な説明】
【技術分野】
【０００１】
本発明は、菓子等の食品を収納して搬送するための容器、及び、その収納する食品を載せる台紙に関し、特に、紙箱とした容器の内面と台紙の裏面に滑り止め部材を設ける技術に関する。
【背景技術】
【０００２】
従来から、菓子等を運搬する際に使用する紙箱には、菓子等の載置面上での移動を防止するための固定手段は存在する。この固定手段としては、アルミニウム等の金属により構成される止め具を用いてこれをケーキ箱の底板などに固設する構成のもの（例えば、特許文献１及び特許文献２参照。）や、ケーキトレイ自体からケーキを固定するための止め部を突起させて構成するもの（例えば、特許文献３参照。）等がある。
【特許文献１】登録実用新案第３０８９３３０号公報
【特許文献２】登録実用新案第３０７７４８２号公報
【特許文献３】登録実用新案第３０２０９８４号公報
【発明の開示】
【発明が解決しようとする課題】
【０００３】
しかし、従来技術では、例えばデコレーションケーキのように、紙箱に菓子等をひとつだけ入れる場合には有効な固定手段であるが、紙箱に複数の菓子等を入れる場合の固定手段としては適切な手段ではなかった。つまり、ショートケーキのように大きさや形が異なり、紙箱内にいくつ収納するか判らないような場合には、固定位置を決めることができず、固定手段も多く必要であった。また、複数の菓子等を載置して運搬する際に、菓子が水平方向に滑ることにより菓子同士が接触し、もしくは紙箱の内面に接触することで、菓子を購入した時の形態から変形することがあった。そのため、菓子等が本来持っていた美観が損なわれることとなり、販売される際に陳列してある形態を保持しつつ運搬することは困難であった。そのため、紙箱が大きく収納する菓子との間に空間が生じるような場合には、その空間を詰めるための箱や折り曲げた厚紙等が必要となっていたが、完全に空間を埋めることは難しく、詰め物自体も運搬時に移動することがあった。
【課題を解決するための手段】
【０００４】
本発明の解決しようとする課題は以上の如くであり、次にこの課題を解決するための手段を説明する。
【０００５】
即ち、請求項１においては、菓子等の食品を収納して運搬に使用する容器において、菓子等が載置される載置面に滑り止め部材を設けたものである。
【０００６】
請求項２においては、請求項１に記載の容器において、前記載置面以外の内面に滑り止め部材を設けたものである。
【０００７】
請求項３においては、菓子等の食品を載せる台紙において、該台紙の裏面に滑り止め部材を設けたものである。
【０００８】
請求項４においては、前記滑り止め部材が印刷若しくは表面加工で形成されているものである。
【０００９】
請求項５においては、前記滑り止め部材が発泡インクを用いた印刷で形成されているものである。
【発明の効果】
【００１０】
本発明の効果として、以下に示すような効果を奏する。
【００１１】
請求項１においては、菓子等の食品を収納して運搬した場合に、食品の容器に対する水平方向の移動が低減され、揺れや振動等で食品が移動して、食品同士が接触したり、容器の内面に接触したりすることで、食品に施された装飾が変形したり、崩れたり、壊れたりすることを防止することができる。
【００１２】
請求項２においては、一つ一つの食品がフィルムに巻かれて（包装されて）いたり、カップ等の容器に収納されていたりする場合に、その側面か容器の内面と接触することで、その接触面における摩擦抵抗が大きいため、水平方向の移動が低減され、食品に施された装飾が変形したり、崩れたり、壊れたりすることを防止することができる。
【００１３】
請求項３においては、台紙と容器の載置面との間でより大きい摩擦抵抗が発生し、食品の水平方向の移動がより低減され、食品同士が接触したり、容器の内面に接触したりすることことを防止し、食品に施された装飾が変形したり、崩れたり、壊れたりすることを防止することができる。
【００１４】
請求項４においては、従来技術のように菓子の底部に突き刺すための一または複数の突起などを構成する固定手段が設けることなく、簡便に滑り止めの効果を得られる。また、印刷若しくは表面加工で滑り止め部材を形成することにより、印刷時、若しくは表面加工時に、滑り止めの形状を容易に変更することが可能となる。
【００１５】
請求項５においては、加熱発泡により容易に滑り止め部材を容器の面に付着させることができ、凸部の大きさ（高さ）も小さくすることができて、収容容量を減少することなく、美観も損ねることがない。
【発明を実施するための最良の形態】
【００１６】
次に、発明の実施の形態を説明する。
図１は本発明の一実施例である紙箱１を示す斜視図、図２は紙箱１の展開図、図３は菓子６０と載置面との間に介装する台紙２の下方斜視図、図４は菓子６０を台紙２及び紙箱１に載置した状態を示す上方斜視図である。
【００１７】
本発明に係る容器として紙箱を実施例として説明するが、合成樹脂や木製や金属製の薄板等で構成することも可能である。紙箱１は立体的な食品の上部や側部等に装飾を施したりトッピングしたりした食品、例えば、ショートケーキやアイスクリームや和菓子等のお菓子や、にぎり寿司等を収納して、搬送時に食品の移動をなくすようにするためのものである。
本発明に係る紙箱１はショートケーキを収納して移動し難くして搬送する実施例について説明する。
【００１８】
本発明に係る紙箱１は図１、図２に示すように、平厚紙を所定の形状にカットし、所定の位置に切込みを入れて、所定の位置に折目を形成することにより、所定の大きさの箱状に組み立てることができる。該紙箱１は底面部１１と、その左右に連続して設けられる左右の側面部１２と、その前後に連続して設けられる前面部１４と後面部１５と、該後面部１５に連結して設けられる上面部１３と、前記前面部の側部に設けられる折り返し部分１６と、前記左右の側面部１２と後面部１５を繋ぐ折り返し部分１７とから構成される。
【００１９】
そして、本発明では少なくとも紙箱１の底面部１１の表面に滑り止め部材５０を設けている。つまり、箱状に形成した紙箱１の少なくとも底面部１１の内面に滑り止め部材５０を設けて、菓子６０等の収納物の載置面が滑り止め部材５０と接触して、紙箱１内での菓子６０等の移動を防止するものである。
【００２０】
前記滑り止め部材５０は摩擦抵抗が大きな材質で構成する。本実施例では滑り止め部材５０は円形の合成樹脂を底面部１１の表面に多数所定間隔をあけて付着または貼設しているが、摩擦抵抗が大きいゴムや金属やその他無機物等であってもよい。更に、滑り止め部材５０は摩擦抵抗が大きい部材に加えて、容易に剥がれる程度の粘着性を有する部材とすることで、更にお菓子の移動し難くすることができる。また、滑り止め部材５０として底面部１１に多数の凹凸を一体的に形成する構成であってもよい。なお、前記「容易に剥がれる程度の粘着性を有する」とは、接着面に対して垂直方向の力に対しては容易に剥がれるが、接着面と平行な方向の力に対しては剥がれ難いことであり、お菓子を滑り止め部材５０上に載せた時に、持ち上げると容易に載置面より取り出すことができ、お菓子の底面が載置面に接触しているときには横方向への移動に対しては移動しにくいこととなる。但し、底面部１１の大きさに合わせたシートの表面に前記同様に滑り止め部材５０を設け、必要に応じて、このシートを箱内に収納する構成とすることも可能である。この場合、箱及びシートの製造が簡単に行なえ、コスト低減化も図れる。
また、本実施例では滑り止め部材５０は円形に構成して縦横に多数並べて配置しているが、滑り止め部材５０の形状は限定するものではなく、円環状や三角形や四角形等の多角形であっても良く、また、滑り止め部材５０を線状に形成して格子状やハニカム状等に配置することも、または、表面の全面に付着または貼設することも可能である。なお、円形の滑り止め部材５０を縦横に並べて配置するほうが材料費を軽減することができる。
【００２１】
このように、底面部１１の載置面に滑り止め部材５０を設けることにより、紙箱１内に収納した菓子６０等の底面と滑り止め部材５０とが接触して、紙箱１に収納した状態でお菓子６０を搬送する場合に、菓子６０等の底面と滑り止め部材５０の間の摩擦抵抗が従来よりも大幅に増加して、紙箱１内での菓子等６０の移動を防止できる。これにより菓子６０の横への移動が低減され、菓子同士が接触したり、もしくは紙箱１の内側面に接触したりすることが殆どなくなり、家に持ち帰った時や届けた場合等において、菓子６０が販売される際に陳列してある形態と略同じ状態を維持でき、装飾が変形したり、壊れたり、他のお菓子と接触して装飾が混じったりすることを防止できるのである。
【００２２】
更に、本発明においては、滑り止め部材５０の配置位置は、底面部１１の載置面だけでなく、側面部１２と上面部１３と前面部１４と後面部１５と折り返し部分１６・１７のそれぞれ内面に設けることも可能である。
【００２３】
このように、底面部１１の載置面だけでなく、側面部１２ａ・１２ｂ、前面部１４、後面部１５、折り返し部分１６・１７、または上面部１３の内面に滑り止め部材５０を設けることにより、前記よりも更に移動が低減される。つまり、お菓子６０の周囲にフィルム等が巻かれたり、カップ等の容器に収納されたりしている場合には、フィルムやカップ等の側面が紙箱１の内面に設けた滑り止め部材５０と接触して、移動を妨げるようになるのである。よって、お菓子を収納した紙箱の運搬時に発生する、振動や揺れ等により発生する菓子６０の横方向への移動が低減され、菓子同士が接触したり、もしくは紙箱１の内側面に接触したりすることが殆どなくなり、家に持ち帰った時や届けた場合等において、菓子６０が販売される際に陳列してある形態と略同じ状態を維持でき、装飾が変形したり、壊れたり、他のお菓子と接触して装飾が混じったりすることを防止できるのである。
【００２４】
また、図３、図４に示すように、菓子６０を載置する台紙２の裏面、つまり、その台紙２と紙箱１とが接触する部分にも前記滑り止め部材５０と同様に構成した滑り止め部材５１を設けることも可能である。なお、台紙２は予め滑り止め部材５１を厚紙等に付着または貼設しておき、載せるお菓子の形状に合わせて切断されている。この場合、紙箱１の底面部１１の載置面に設けた滑り止め部材５０と、台紙２の裏面に設けた滑り止め部材５１が接触することで、底面部１１の載置面のみに滑り止め部材５０を設けた場合よりも更に摩擦抵抗が大きくなり、菓子６０は更に移動し難くなり安定させることができる。
これにより、菓子６０の横への移動がより低減され、菓子同士が接触したり、もしくは菓子が移動して紙箱１の内面に接触したりすることを防止して、菓子６０が販売される際と略同じ状態を維持でき、装飾が変形したり、壊れたり、他のお菓子と接触して装飾が混じったりすることを防止できるのである。
【００２５】
次に前記滑り止め部材５０、５１を紙箱１に配設する方法について説明する。
滑り止め部材５０、５１を紙箱１に付着させる方法は、（１）接着剤で滑り止め部材５０、５１を一つ一つ貼設する。（２）滑り止め部材５０、５１をシート状に一体的に構成して紙箱製造時に接着剤等で貼設する。（３）滑り止め部材５０、５１を印刷により付着させる。等の方法が挙げられる。
本実施例では滑り止め部材５０、５１を印刷して配設している。この場合、原料となる紙を図３のような紙箱の展開図に裁断してから滑り止め部材を印刷する方法や、原料となる紙を展開図に裁断する前に滑り止め部材を印刷し、その後裁断する方法などが挙げられる。
これにより、従来技術のように菓子６０の底部に突き刺すための一または複数の突起などを構成する固定手段が設けることなく、簡便に滑り止めの効果を得られる。また印刷という利点を生かして、滑り止め部材５０、５１の形状を容易に変更することができ、大量生産も容易にできる。例えば、直線を平行に配置する構造や、格子状に配置する構造や、予め菓子を載置する位置が定められている場合には、その定められた位置のみ印刷するなどが挙げられる。この場合、滑り止め部材５０、５１の量を削減できる。
【００２６】
また、滑り止め部材５０、５１の素材として発泡インクを用いることができる。発泡インクは加熱発泡により容易に紙箱底面に突起物を構成し、良好の滑り止め効果を得られる。なお、滑り止め部材５０、５１の素材としては、発泡インクの他にウレタン樹脂の液などを使用することも可能である。
【図面の簡単な説明】
【００２７】
【図１】本発明の一実施例である紙箱１を示す斜視図。
【図２】紙箱１の展開図。
【図３】菓子６０と載置面との間に介装する台紙２の下方斜視図。
【図４】菓子６０を台紙２及び紙箱１に載置した状態を示す上方斜視図。
【符号の説明】
【００２８】
１      紙箱
２      台紙
１１    底面部
１２    側面部
１３    上面部
１４    前面部
１５    後面部
５０    滑り止め部材（紙箱）
５１    滑り止め部材（台紙）
６０    菓子
【図１】
2007076731.tif 000003
【図２】
2007076731.tif 000004
【図３】
2007076731.tif 000005
【図４】
2007076731.tif 000006